【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
ａ．筐体および作動型変換器であって、該作動型変換器は、該筐体内または該筐体上に配置され、かつ、被験体の少なくとも１本の歯の表面と連絡し、該筐体は、該筐体と該少なくとも１本の歯の少なくとも２つの表面との間で締まり嵌めを生成する、筐体および作動型変換器と、
ｂ．該筐体に連結される結合ユニットであって、該結合ユニットは、音源と連絡するように適合される、結合ユニットと
を備える、無線デバイス。
【請求項２】
前記変換器は、圧電変換器を含む、請求項１に記載の無線デバイス。
【請求項３】
前記デバイスは、カスタムフィットする口腔デバイスを備える、請求項１に記載の無線デバイス。
【請求項４】
マイクロホンをさらに備える、請求項１に記載の無線デバイス。
【請求項５】
前記マイクロホンは、口腔内マイクロホン、口腔外マイクロホンのうちの１つを備える、請求項４に記載の無線デバイス。
【請求項６】
前記マイクロホンは、環境雑音を消去するように適合される、請求項４に記載の無線デバイス。
【請求項７】
前記音源は、音楽プレーヤ、ビデオプレーヤ、携帯電話、コンピュータ、一方向通信デバイス、双方向通信デバイス、および無線ハンズフリー通信デバイスのうちの１つを備える、請求項１に記載の無線デバイス。
【請求項８】
前記デバイスは、データ記憶デバイスをさらに備える、請求項１に記載の無線デバイス。
【請求項９】
ユーザからの音を拾う第１のマイクロホンと、周囲音を拾う第２のマイクロホンと、該ユーザの音から周囲音を差し引く雑音消去装置とをさらに備える、請求項１に記載の無線デバイス。
【請求項１０】
受信された音をユーザに提供し、該ユーザに通信を提供するために前記変換器に連結された無線通信送受信機をさらに備える、請求項１に記載の無線デバイス。
【請求項１１】
前記筐体は、前記少なくとも１本の歯に適合する形状を有する、請求項１に記載の無線デバイス。
【請求項１２】
前記筐体内または該筐体上に配置され、かつ、前記変換器と連絡する電子アセンブリをさらに備える、請求項１に記載の無線デバイス。
【請求項１３】
前記結合ユニットは、８０２プロトコル、携帯電話プロトコル、および、Ｂｌｕｅｔｏｏｔｈプロトコルのうちの１つと互換性がある送受信機を備える、請求項１に記載の無線デバイス。
【請求項１４】
装置と連絡する方法であって、
ａ．被験体の口内にデバイスを配置することであって、該デバイスは、筐体および作動型変換器を含み、該作動型変換器は、該筐体内または該筐体上に配置されることにより、該作動型変換器が、該被験体の少なくとも１本の歯の表面と振動により接触し、該筐体は、該筐体と該少なくとも１本の歯の少なくとも２つの表面との間に締まり嵌めを提供する、ことと、
ｂ．該デバイスを該筐体と結合することと
を含む、方法。
【請求項１５】
前記作動型変換器は、圧電変換器である、請求項１４に記載の方法。
【請求項１６】
前記デバイスは、カスタムフィットする口腔デバイスである、請求項１４に記載の方法。
【請求項１７】
前記デバイスが、前記筐体内に指向性マイクロホンをさらに備える、請求項１４に記載の方法。
【請求項１８】
前記デバイスは、雑音消去マイクロホンをさらに備える、請求項１４に記載の方法。
【請求項１９】
前記装置は、前記デバイスから短距離の伝達を受信し、広域ネットワークを介して該伝達を中継するように適合された携帯型装置を含む、請求項１４に記載の方法。
【請求項２０】
骨伝導を介して前記変換器を経由して前記ユーザに音を伝達することをさらに含む、請求項１４に記載の方法。
【請求項２１】
歯、上顎骨、下顎骨、または口蓋骨を介して音を伝達することをさらに含む、請求項１４に記載の方法。
【請求項２２】
添付の図面を参照して明細書に実質的に記載された無線デバイス。
【請求項２３】
装置と連絡する方法であって、該方法は、添付の図面を参照して明細書に実質的に記載されている、方法。
【手続補正２】
【補正対象書類名】明細書
【補正対象項目名】００１４
【補正方法】変更
【補正の内容】
【００１４】
好ましい実施形態の利点は、以下のうちの１つ以上を含んでもよい。骨伝導ヘッドセットは、着用すること、使用中に外すことが容易であり、さらに、ユーザがそれを着用している間、外観が目立たない。デバイスは、近くの人々がユーザのヘッドセットの着用に気付くことなく、操作することができる。ヘッドフォンと比較すると、デバイスは、聴取者の耳を覆うことを回避する。これは、（ａ）聴取者が（環境中の他の音を聞くことが可能となるように）耳を閉塞させない必要がある場合、または（ｂ）（環境中の大きな音による聴力損傷を予防するために）耳に栓をすることを可能にする必要がある場合に、重要である。システムは、頑丈で、無線でかつ安全である、多目的通信プラットフォームである。システムは、現場要員に対して、高品質でハンズフリーであるが、目立たない通信能力を提供する。
例えば、本発明は以下の項目を提供する。
（項目１）
音源と通信するように適合される無線ヘッドセットであって、
ａ．口装着型通信機と、
ｂ．該口装着型通信機に連結される結合ユニットであって、該音源と通信するように適合される、結合ユニットと
を備える、無線ヘッドセット。
（項目２）
上記口装着型通信機は、骨伝導変換器を備える、項目１に記載の無線ヘッドセット。
（項目３）
上記口装着型通信機は、あつらえの口腔デバイスを備える、項目１に記載の無線ヘッドセット。
（項目４）
上記口装着型通信機は、マイクロホンを備える、項目１に記載の無線ヘッドセット。
（項目５）
上記マイクロホンは、口腔内マイクロホン、口腔外マイクロホンのうちの１つを備える、項目４に記載の無線ヘッドセット。
（項目６）
上記音源は、電話を備え、上記マイクロホンは、環境雑音を消去し、該電話を介してユーザの声を伝達する、項目４に記載の無線ヘッドセット。
（項目７）
上記音源は、音楽プレーヤ、ビデオプレーヤ、携帯電話、コンピュータ、一方向通信デバイス、双方向通信デバイス、無線ハンズフリー通信デバイスのうちの１つを備える、項目１に記載の無線ヘッドセット。
（項目８）
上記口装着型通信機は、データ記憶デバイスを備える、項目１に記載の無線ヘッドセット。
（項目９）
身体伝導音を拾う第１のマイクロホンと、周囲音を拾う第２のマイクロホンと、該身体伝導音から周囲音を差し引く雑音消去装置とを備える、項目１に記載の無線ヘッドセット。
（項目１０）
少なくとも１つの歯の少なくとも一部分に一致可能な形状を有する、筐体と、
該筺体の内部または上に配置され、該少なくとも１つの歯の表面と振動により通信する、作動型変換器と、
上記ユーザに受信された音を提供するために、および該ユーザに対する通信を提供するために、該変換器に連結される、無線通信送受信機と
を備える、項目１に記載の無線ヘッドセット。
（項目１１）
上記少なくとも１つの歯に一致する形状を有する、口腔装置を備える、項目１に記載の無線ヘッドセット。
（項目１２）
上記通信機は、上記筺体の内部または上に配置され、変換器と通信している電子アセンブリを備える、変換器を含む、項目１に記載の無線ヘッドセット。
（項目１３）
上記結合ユニットは、８０２プロトコル、携帯電話プロトコル、Ｂｌｕｅｔｏｏｔｈプロトコルのうちの１つと互換性がある送受信機を備える、項目１に記載の無線ヘッドセット。
（項目１４）
携帯型装置と通信するための方法であって、
ａ．口装着型通信機を口腔内に装着することと、
ｂ．該口装着型通信機を該携帯型装置に結合することと
を含む、方法。
（項目１５）
骨伝導デバイスを使用して音を伝達することを含む、項目１４に記載の方法。
（項目１６）
あつらえの口腔デバイスとして上記口装着型通信機を提供することを含む、項目１４に記載の方法。
（項目１７）
上記口装着型通信機の中に指向性マイクロホンを提供することを含む、項目１４に記載の方法。
（項目１８）
雑音消去マイクロホンを提供することを含む、項目１４に記載の方法。
（項目１９）
上記携帯型装置は、上記口装着型通信機から短距離の伝達を受信し、広域ネットワーク上で該伝達を中継する、項目１４に記載の方法。
（項目２０）
骨伝導を使用して音を伝達することを含む、項目１４に記載の方法。
（項目２１）
歯、上顎骨、下顎骨、または口蓋骨を介して音を伝達することを含む、項目１４に記載の方法。